(57)【要約】【課題】転倒した場合における着用者の身体への衝撃を低減できると共に、長時間着用した場合に着用者に与える違和感を低減できるパッド収納装置を提供する。【解決手段】大腿骨や尾底骨等の骨折想定部位に当接して転倒に伴う骨折を防止するためのパッドを収納して、腰部から腹部に巻回されるパッド収納装置であって、縦横方向に伸縮性のある素材から形成される中空部を有する収納部と、前記パッドを前記収納部の前記中空部に挿入するための前記収納部に設けられた開口部とを有するパッド収納装置である。【選択図】図４
2020063543.tif 000002
【特許請求の範囲】
【請求項１】
大腿骨や尾底骨等の骨折想定部位に当接して転倒に伴う骨折を防止するためのパッドを収納して、腰部から腹部に巻回されるパッド収納装置であって、
当該収納装置は、
縦横方向に伸縮性のある素材から形成される中空部を有する収納部と、
前記パッドを前記収納部の前記中空部に挿入するための前記収納部に設けられた開口部とを有する
ことを特徴とするパッド収納装置。
【請求項２】
前記収納部に対する前記パッドの収納位置に目印を設けた
ことを特徴とする請求項１に記載のパッド収納装置。
【請求項３】
前記開口部は前記収納部に対する前記パッドの収納位置に設けた
ことを特徴とする請求項１に記載のパッド収納装置。
【発明の詳細な説明】
【技術分野】
【０００１】  本発明は、高齢者等が転倒したとき、大腿骨や尾底骨等の骨折想定部位に当接して転倒に伴う骨折を防止するためのパッドを収納して、腰部から腹部に巻回されるパッド収納装置に関する。
【背景技術】
【０００２】  従来、高齢者の転倒による大腿骨や尾底骨等の骨折想定部位に当接して転倒に伴う骨折を予防するため衝撃吸収部材としてのパッド、プロテクタを装着した下着、衣類等に関する技術が提案されている。【０００３】  例えば、特許文献１は、ポリマー発泡体により構成された単層構造を有する衝撃吸収部材としてのプロテクタと、このプロテクタを収容可能なポケット部を有する下着からなり、ポケット部にプロテクタを収納した状態で下着を着用することにより、大腿骨や尾底骨等の骨折想定部位にプロテクタが当接して、転倒時にはプロテクタによって衝撃が吸収されて大腿骨や尾底骨等の骨折を防止する。【０００４】  このような衝撃吸収部材とこの衝撃吸収部材を収納するポケット部等からなる収納部を有する下着やズボン等の衣類からなる構成は、特許文献２〜７にも同様に記載されている。【０００５】  また、転倒時の骨折を防止するためではないが類似する技術として、例えば、特許文献８は、伸縮可能な弾性バンド帯と、指圧体を移動可能に設けた安定板とからなり、この安定板を弾性バンド帯に移動できるように取り付け、弾性バンド帯と指圧体により関節部の矯正及び指圧を行うようにした骨盤矯正バンドに関する技術が提案されている。【０００６】  このような弾性帯と指圧体等のパッドからなる骨盤固定バンド、健康帯、腰部帯等としては、特許文献９〜１６にも同様に記載されている。
【先行技術文献】
【特許文献】
【０００７】
【特許文献１】特開２０１１−１８４８２４号公報
【特許文献２】特開平８−２０９４０９号公報
【特許文献３】米国特許第５６３６３７７号明細書
【特許文献４】特表平１０−５１２０１６号公報
【特許文献５】特許第５７１３１６６号公報
【特許文献６】特許第５８７４６３８号公報
【特許文献７】特開２０１３−２３１２４８号公報
【特許文献８】実開昭６０−１６８８１１号公報
【特許文献９】実開平２−２８２２２号公報
【特許文献１０】特開平６−７８９４３号公報
【特許文献１１】実開平６−２１６１９号公報
【特許文献１２】登録実用新案第３００８０７６号公報
【特許文献１３】実公平７−４５２０８号公報
【特許文献１４】特開平７−３２８０４９号公報
【特許文献１５】特開２００９−８２６９７号公報
【特許文献１６】特開２００１−９５８２７号公報
【発明の概要】
【発明が解決しようとする課題】
【０００８】  転倒するタイミングは予測できないので、転倒に伴う骨折を防止するために着用するこの種のパッド収納装置は、起きている間は当然のことながら、就寝時も含めて終日着用する必要がある。この観点から、上記の特許文献１〜７に記載の衝撃吸収部材とこの衝撃吸収部材を収納するポケット部等からなる収納部を有する下着やズボン等の衣類からなる構成では、衝撃吸収部材を収納する衣類は、収納される衝撃吸収部材のサイズに合わせて収納部を設ける必要があるため専用のものとなる。終日着用となると洗い替え用に専用の衣類を複数枚用意する必要があり、結果、コスト高となる。さらに、着用者の体型は個人差があるにも拘わらず、この種の衣類はＳサイズ、Ｍサイズ、Ｌサイズ等の規格化されたサイズしか用意されない。このように規格化されたサイズでは、着用者の体型に十分に対応できない場合がある。サイズが合っていないのに着用した場合には、収納部に収納された衝撃吸収部材が必ずしも適正な位置で大腿骨や尾底骨等の骨折想定部位に当接しているとは限らないため、転倒時には十分な骨折予防効果を発揮しないという欠点を有するものであった。【０００９】  また、特許文献８〜１６に記載の弾性帯と指圧体等のパッドからなる骨盤固定バンド、健康帯、腰部帯等では、パッドを固定バンドの弾性力によって、関節部や治療箇所に当接させて、弾性力を利用して骨盤の矯正等を図る構成である。骨盤の矯正等を図るためには強靭な弾性力が必要である。強靭な弾性力を有する固定バンドを着用した状態で就寝した場合には、腰部から腹部に巻回される固定バンドの弾性力による締め付けや、固定バンド及びパッドが物理的に寝返り動作を阻害したりして十分な就寝を得ることが出来なくなるという欠点を有するものであった。【００１０】  本発明は、このような課題を解決したものであって、長時間着用した場合に着用者に与える違和感を低減でき装着性を向上させるとともに、転倒した場合における着用者の身体への衝撃を低減できるパッド収納装置を提供する。
【課題を解決するための手段】
【００１１】  上記の課題を解決するために、本発明に係るパッド収納装置は、大腿骨や尾底骨等の骨折想定部位に当接して転倒に伴う骨折を防止するためのパッドを収納して、腰部から腹部に巻回されるパッド収納装置であって、当該収納装置は、縦横方向に伸縮性のある素材から形成される中空部を有する収納部と、前記パッドを前記収納部の前記中空部に挿入するための前記収納部に設けられた開口部とを有することを特徴とするものである。【００１２】  また、本発明に係るパッド収納装置では、前記収納部に対するパッドの収納位置に目印を設けたことを特徴とするものである。【００１３】  さらに、本発明に係るパッド収納装置では、前記開口部は前記収納部に対する前記パッドの収納位置に設けたことを特徴とするものである。
【発明の効果】
【００１４】  本発明に係るパッド収納装置では、縦横方向に伸縮性があるので、開口部を大きく開口  して開口部から中空部にパッドを挿入して、収納部の大腿骨や尾底骨等の骨折想定部位  であるパッドの収納位置に容易に位置せしめことができる。かつ、特に横方向の伸びを  利用して個人差のある体型にも適時対応して、適正なる骨折想定部位にパッドを位置せ  しめることができるので、フリーサイズで対応も可能なパッド収納装置を提供できる。【００１５】  また、前記収納部に対するパッドの収納位置の目印を設けたので、収納部の大腿骨や尾底骨等の骨折想定部位にパッドを容易に位置せしめることができる。また、収納部を洗濯する際には、収納部からパッドを取り外して、洗濯を行う。収納部を洗濯、乾燥後に再び、パッドを挿入する際には、パッドの収納位置を示す目印があるので、容易にパッドを所定位置に位置せしめることができる。【００１６】  さらに、前記収納部に対する前記パッドの収納位置近傍に開口部を設けたので、収納部の大腿骨や尾底骨等の骨折想定部位であるパッドの収納位置にパッドを容易に位置せしめことができる。
【図面の簡単な説明】
【００１７】
【図１】第１の実施の形態に係るパッド収納装置の構成例を示す平面図である。
【図２】第１の実施の形態に係るパッド収納装置の収納部の構成例を示す図である。
【図３】第１の実施の形態に係るパッド収納装置のパッドの構成例を示す図であり、（ａ）は断面図、（ｂ）は平面図である。
【図４】第１の実施の形態に係るパッド収納装置の着用例を示す図である。
【図５】第１の実施の形態に係るパッド収納装置の着用例を示す模式的な断面図である。
【図６】第２の実施の形態に係るパッド収納装置の構成例を示す平面図である。
【図７】第２の実施の形態に係るパッド収納装置の収納部の構成例を示す図である。
【図８】第３の実施の形態に係るパッド収納装置の収納部の構成例を示す図である。
【図９】第４の実施の形態に係るパッド収納装置の収納部の構成例を示す図である。
【発明を実施するための形態】
【００１８】  以下、図面を参照して本発明の一例であるパッド収納装置について説明する。なお、本例においては、転倒時の大腿骨の骨折を予防する場合について説明する。
［第１の実施の形態］
＜パッド収納装置１の構成例＞
図１は、第１の実施の形態に係るパッド収納装置１の構成例を示す平面図である。図２は、パッド収納装置１の収納部３の構成例を示す図である。図３は、パッド収納装置１のパッド４の構成例を示す図である。パッド収納装置１の収納部３の両端には、本例の場合、図２に示すように第１の開口部２及び第２の開口部５を有する。なお、図１において、矢印Ｖ及びＨは、それぞれ縦方向の伸縮性及び横方向の伸縮性を示すものである。
【００１９】  図１及び２において、パッドは縦横伸縮自在の素材、例えば、パンテイストッキングの素材となっているポリウレタン弾性糸の如くゴム状弾性糸を芯糸とし、その上に巻糸としてポリアミド系合成繊維糸条を巻付けたカバリング糸から編製された中空構造を有し、本例の場合、両端に第１の開口部２及び第２の開口部を有する。さらに、図示しないが、両端部には既存技術である面ファスナー、フック等の係止手段が設けられている。装着時には、この係止手段を用いる。また、本例の場合、開口部は収納部３の両端に設けているが、開口部はパッド４を中空部に挿入するためのものであるから、両端にそれぞれ設ける必要はなく一方のみであっても良い。さらに、収納部３自体は縦横方向に伸縮自在の素材から構成されるので、中空部を有する無端の袋状のものとして収納部を形成すれば、前記係止手段は不要となる。この場合、パッド４を収納するための開口部を収納部に別途設けるようにすれば良い。
【００２０】  なお、図１はパッド収納装置１を着用する前の状態を示すものであり、パッド４、４を収納部３に第１の開口部２または第２の開口部５より挿入し、パッド４、４を大腿骨の骨折想定部位近傍である前記収納部に対するパッドの収納位置に位置せしめた状態を示すものである。この図１において、図面の左側のパッド４および右側のパッド４のそれぞれのセンター間の長さをＬ１、開口部２の端部から左側に位置するパッド４のセンターまでの長さをＬ２、及び、右側に位置するパッド４のセンターから開口部５の端部までの長さをＬ３としたとき、Ｌ１は約２２０ｍｍ、Ｌ２及びＬ３は約１５０ｍｍであり、開口部２の端部から開口部５の端部までの長さは約５２０ｍｍ程度である。収納部３は、縦横方向に伸縮自在であるから、着用者の体型によらずフリーサイズで対応可能である。なお、パッド４、４を収納部３に収納しない図２に示す状態では、開口部２の端部から開口部５の端部までの長さは約５３０ｍｍ程度である。
【００２１】  図３に示す本例のパッド４は、転倒時の衝撃を吸収するためのものであり、一例としてシリコーンゴムやＥＶＡ（エチレンビニールアセタートコポリマー）樹脂等の発泡体からなる。パッド４を構成する素材によって衝撃吸収特性が異なるが、大腿骨の骨折想定部位に当接して転倒に伴う骨折を防止するという目的及び装着性を考慮すると、本例の場合、パッド４は直径１００ｍｍ〜１５０ｍｍ、好ましくは１２０〜１４０ｍｍであり、最大厚み５〜２０ｍｍ、好ましくは１０〜１５ｍｍであり、重量１０ｇ〜２００ｇ程度である。なお、図３の（ａ）はパッド４の断面図、（ｂ）はパッド４の平面図をそれぞれ示すものである。
【００２２】  図２に示す収納部３に、図３に示すパッド４を収納し、図１に示すパッド収納装置１を構成するには、パッド収納装置１を着用しない状態で、パッド４を収納部３の特に縦方向の伸縮性（図１の矢印Ｖ）を利用して前記第１の開口部２または第２の開口部５から、収納部の中空部に挿入し、パッド４、４を大腿骨の骨折想定部位近傍である収納位置まで挿入して図１に示す状態とする。
【００２３】  図４は、図１に示す第１の実施の形態に係るパッド収納装置１の着用例を示す図である。図１に示すパッド収納装置１を着用するには、本例の場合、パッド収納装置１を腰部から腹部に巻回して、その状態を収納部３の両端に設けた図示しない係止手段により、図４に示すようにパッド収納装置１を着用する。着用にあたっては、図示しない下着の上から収納部３の伸縮性を利用して腰部から腹部に巻回して図示しない係止部で係止することにより着用する。着用後、パッド４、４が着用者の大腿骨の部位に位置していない場合には、収納部３の中空部内でパッド４、４の位置を移動させて修正する。僅かな位置ずれであれば、収納部３の縦横方向の伸縮性、特に横方向の伸縮性（図１の矢印Ｈ）を利用して、位置ずれを補正することができる。
【００２４】  また、収納部３を中空部を有する無端の袋状のものとして構成した場合には、パッド４、４を収納するための開口部から収納部３内に挿入して収納位置に位置せしめた後に、収納部３の伸縮性を利用して、着用者の足側または頭側から着用するようにすれば良い。さらに、図１及び図２等に示すパッド収納装置１で必要とする係止手段は、収納部３を中空部を有する無端の袋状のものとして構成した場合には不要となるので、係止手段によって寝返り動作が阻害されることもなく、第１の実施の形態に係るパッド収納装置１と比べて構成もより簡単になり、かつ、より装着性が向上する。
【００２５】  図５は、パッド収納装置１の着用例を示す模式的な断面図であり、パッド４、４と大腿骨頚部１０２、１０２の位置関係を説明する模式的な断面図である。図４のように着用した場合、パッド収納装置１のパッド４、４は、大腿骨１０１における骨盤１０３側の端部である大腿骨頚部１０２、１０２の側方を覆うように配置される。なお、図５は説明の便宜上、収納部３を含む下着等の他の構成は除外している。パッド４、４の大腿骨頚部１０２、１０２方向への装着は、図示しない収納部３の伸縮性が利用できる。
【００２６】［第２の実施の形態］
＜パッド収納装置１０の構成例＞
図６はパッド収納装置１０の構成例を示す平面図であり、図７はパッド収納装置１０の収納部３の構成例を示す図である。この第２の実施の形態のパッド収納装置１０と、上記第１の実施の形態で説明したパッド収納装置１との相違点は、パッド収納装置１０では予め目印６、６を収納部３のパッド４、４の収納位置に設ける点にある。このようにパッドの収納位置の目標となる位置に予め目印６、６を設けたので、パッド４、４を収納部３の収納位置に位置させる際に、この目印６、６にパッド４、４のセンターを合わせるようすれば、収納部の大腿骨の骨折想定部位にパッドを容易に位置せしめることができる。着用後、パッド４、４が着用者の大腿骨の部位に位置していない場合には、収納部３の中空部内でパッド４、４の位置を移動させて修正する。僅かな位置ずれであれば、収納部３の縦横方向の伸縮性、特に横方向（図１の矢印Ｈ）の伸縮性を利用して、位置ずれを補正することができる。
【００２７】  また、前記パッド収納装置１０では、パッド４、４の収納位置の目標となる位置に予め目印６、６を設けたが、予め目印６、６を設けずに、前記パッド収納装置１０を着用し、パッドの収納位置を決定後に、パッド収納位置を示すものとして目印６、６を貼付するようにしても良い。このような構成によって、例えば、収納部３を洗濯する際には、収納部３からパッド４、４を取り外して、洗濯を行う。収納部３を洗濯、乾燥後に再び、パッド４、４を挿入する際には、パッドの収納位置を示す目印６、６があるので、容易にパッドを所定位置に位置せしめることができる。
【００２８】  さらに、目印６、６を収納部３に対して着脱可能（貼り替え自在）なようにしておけば、パッド４、４の収納部３への収納前の状態において、パッド４、４の収納部３の目標位置を目印６、６で予め設定しておくことができるのでパッド４、４の収納部３への装着性が向上する。また、パッド４、４の収納位置が決定後は、パッド４、４の収納位置に目印６、６を設定し直す、すなわち、貼り替えることができる。従って、予め設定していた目印６の位置と、決定されたパッド４の収納位置とにずれが生じた場合、目印６とパッド４のセンターが一致しないという違和感を解消することができる。
【００２９】［第３の実施の形態］
＜パッド収納装置２０の構成例＞
図８は、第３の実施の形態に係るパッド収納装置の収納部の構成例を示す図である。この第３の実施の形態のパッド収納装置２０と、上記第１の実施の形態で説明したパッド収納装置１との相違点は、開口部の設け方が異なるものである、パッド収納装置１では開口部を収納部３の両端（第１の開口部２、第２の開口部５）に設けたが、この第３の実施の形態のパッド収納装置２０では、パッド４、４の収納位置の近傍に設けた点に特徴を有する。収納部３は縦横方向に伸縮自在な素材で形成されてはいるものの、パッド４を所定の収納位置に位置させるには、伸縮性に抗してパッドを移動させる必要がある。この操作をより容易にするために、この第３の実施の形態では、パッドの所定の収納位置付近に、図１に示すＶ方向に第３の開口部７、７を設けたものである。この構成によって、上記第１の実施の形態に比べてパッド４を収納位置に容易に装着することができる。この第３の実施の形態は、収納部３が中空部を有する無端の袋状のものとして形成された場合にも適用できる。
【００３０】［第４の実施の形態］
＜パッド収納装置３０の構成例＞
図９は、第４の実施の形態に係るパッド収納装置の収納部の構成例を示す図である。この第４の実施の形態のパッド収納装置３０と、上記第３の実施の形態で説明したパッド収納装置２０との相違点は、開口部の設け方が異なるものである、パッド収納装置２０では図１に示すＶ方向に第３の開口部７、７を設けが、この第４の実施の形態のパッド収納装置３０では、図１に示すＨ方向に第４の開口部８、８をパッド４、４の収納位置の近傍に設けたものである。この構成によって、前記第３の実施の形態同様に、パッド４を収納位置に容易に装着することができる。この第４の実施の形態も前記第３の実施の形態同様に、収納部３が中空部を有する無端の袋状のものとして形成された場合にも適用できる。
【００３１】  以上は、大腿骨の骨折想定部位に当接して転倒に伴う骨折を防止するためのパッド収納装置について記載したが、同様にして、尾底骨等の骨折想定部位に当接して転倒に伴う骨折を防止するためのパッド収納装置にも適用可能である。
【００３２】  以上のように、本発明のパッド収納位置によれば、大腿骨や尾底骨等の骨折想定部位に当接して転倒に伴う骨折を防止するためのパッドを収納し、腰部から腹部に巻回されるパッド収納装置であって、収納装置は、縦横方向に伸縮性のある素材から形成される中空部を有する収納部と、パッドを前記収納部の前記中空部に挿入するための前記収納部に設けられた開口部とを有する簡単な構成であるから、着用時の装着性が向上し、転倒した場合における着用者の身体への衝撃を低減できると共に、長時間着用した場合に着用者に与える違和感を低減できるものである。
【符号の説明】
【００３３】  １、１０、２０、３０    パッド収納装置
２      第１の開口部
３      収納部
４      パッド
５      第２の開口部
６      目印
７      第３の開口部
８      第４の開口部
１０１  大腿骨
１０２  大腿骨頚部
１０３  骨盤
【図１】
2020063543.tif 000003
【図２】
2020063543.tif 000004
【図３】
2020063543.tif 000005
【図４】
2020063543.tif 000006
【図５】
2020063543.tif 000007
【図６】
2020063543.tif 000008
【図７】
2020063543.tif 000009
【図８】
2020063543.tif 000010
【図９】
2020063543.tif 000011